(57)【要約】【課題】十分な吸湿性と通気性を備え、良好な履き心地を有する靴類を提供することを目的とする。【解決手段】本和紙糸製靴類１は、足の甲を覆うアッパー部２と、足の裏を支えるソール部３とを備える。アッパー部２は、和紙糸１０で編成される生地１００により構成される。これによれば、アッパー部２において、生地１００の和紙糸１０が着用により生じた水蒸気を吸湿するとともに、和紙糸１０と和紙糸１０の間の空間が靴類１内の空気や外気を通過させるため、靴類１が吸湿性と通気性を備え良好な履き心地を有する。また、湿気が靴類１の内側に残らず、細菌の増殖を抑制することがことができ、悪臭の発生を防止することが可能となる。【選択図】図３
2020141829.tif 000002
【特許請求の範囲】
【請求項１】
足の甲を覆うアッパー部と、足の裏を支えるソール部とを備え、
前記アッパー部は、和紙糸で編成される生地により構成されることを特徴とする和紙糸製靴類。
【請求項２】
前記アッパー部は、内側に配置されるインナー層と、外側に配置されるアウター層とからなる請求項１に記載の和紙糸製靴類。
【請求項３】
前記アッパー部は、前記インナー層が和紙糸で編成される生地により構成されるとともに、前記アウター層が化学繊維糸により編成される生地により構成される請求項２に記載の和紙糸製靴類
【請求項４】
前記アッパー部は、前記インナー層と前記アウター層がタック編により部分的に結合されている請求項３に記載の和紙糸製靴類。
【請求項５】
前記アッパー部は、生地がジャガード編により編成される請求項１から請求項４のいずれかに記載の和紙糸製靴類。
【請求項６】
前記和紙糸は、中心に配置される中心糸と、該中心糸を覆う和紙糸本体と、該和紙糸本体の表面を覆うカバー糸とを備え、
前記中心糸は、該中心糸に対して前記和紙糸本体がオーバーフィードされた状態で前記和紙糸本体が巻き付けられ、  
前記和紙糸本体は、表面の一部を露出させた状態で前記カバー糸が螺旋状に巻き付けられている請求項１から請求項５のいずれかに記載の和紙糸製靴類。
【請求項７】
請求項２に記載の和紙糸製靴類の製造方法であって、
ジャガード編によりインナー層とアウター層を同一工程で編成することを特徴とする和紙糸製靴類の製造方法。
【発明の詳細な説明】
【技術分野】
【０００１】
本発明は、靴、スニーカー、サンダル、ブーツなどの靴類に関するものである。
【背景技術】
【０００２】
一般に、靴、スニーカー、サンダル、ブーツなどの靴類は、足部に外力が直接伝わらないように緩衝材として強度と柔軟性を備える必要がある。特に、靴類の内側は使用者の足部に直に接触するため、足部になじみやすく、履き心地のよい素材で構成するのが好ましく、様々な靴類が提案されている。
【０００３】
例えば、特許文献１には、足裏に当接する表面層と、この表面層の裏側に部分的に熱融着や接着剤等により貼り付けた底面層とを有しており、表面層の底面層と接着した部分以外の部分と、底面層との間で盛り上った複数個の凸状部が設けられている。凸状部には吸水性ポリマを含む吸湿材が充填されている中敷を有する靴が開示されている。
【０００４】
また、特許文献２には、靴の内部を除湿する機能を有した靴構造において、靴の靴本体に開口を設け、開口に靴中の水分を吸着する吸湿剤を収容したケース体を着脱自在に取り付けた靴が開示されている。
【０００５】
さらに、特許文献３には、廃革は大小様々で革質もまちまちのためシュレッダーにかけて約３ｍ／ｍの細粒とし、これにコルクの細粒を混入し、バインダーとして熱可塑性の合成樹脂を加えて混練圧延して靴の中敷として成形した靴が開示されている。
【先行技術文献】
【特許文献】
【０００６】
【特許文献１】特開２０１７−１２４０９４号公報
【特許文献２】特開２０１１−１６０９４９号公報
【特許文献３】特開２００４−２９８５８１号公報
【発明の概要】
【発明が解決しようとする課題】
【０００７】
しかしながら、従来の靴類は、主に中敷のみに吸湿性の素材を用いるため、十分な吸湿性や通気性を備えるものではなく、ムレ感をほとんど解消することができず、十分に良好な履き心地を有さないという問題があった。また、上記のように十分な吸湿性を備えないため、湿気が靴類の内側に残り、細菌の増殖して、悪臭が生じやすい問題もあった。
【０００８】
本発明は、上述の問題に鑑みてなされたものであり、十分な吸湿性と通気性を備え、良好な履き心地を有する靴類を提供することを目的とする。
【課題を解決するための手段】
【０００９】
本発明は、上記目的を達成するために、足の甲を覆うアッパー部と、足の裏を支えるソール部とを備え、前記アッパー部は、和紙糸で編成される生地により構成されることを特徴とする和紙糸製靴類である。なお、本件発明は、靴、スニーカー、サンダル、ブーツなどの靴類を対象とするものであり、技術分野の異なる被服類を対象としないものである。
【００１０】
これによれば、アッパー部において、生地の和紙糸が靴類の着用により生じた水蒸気を吸湿するとともに、和紙糸と和紙糸の間の空間が靴類内の空気や外気を通過させるため、靴類全体として吸湿性と通気性を備え、良好な履き心地を有する。また、湿気が靴類の内側に残らず、細菌の増殖を抑制することがことができ、悪臭の発生を防止することが可能となる。
【００１１】
また、前記アッパー部は、内側に配置されるインナー層と、外側に配置されるアウター層とからなるのが好ましい。これによれば、アッパー部がインナー層とアウター層の複層構造となるため、それぞれの層に別の機能性を付与することができる。
【００１２】
また、前記アッパー部は、前記インナー層が和紙糸で編成される生地により構成されるとともに、前記アウター層が化学繊維糸により編成される生地により構成されるのが好ましい。これによれば、インナー層に吸湿性と通気性を付与するとともに、アウター層に防水性などの別の機能性を付与することできる。
【００１３】
また、前記アッパー部は、前記インナー層と前記アウター層がタック編により部分的に結合されているのが好ましい。これによれば、インナー層とアウター層が分離するのを防止することができる。
【００１４】
また、前記アッパー部は、生地がジャガード編により編成されるのが好ましい。これによれば、アッパー部をジャガード編により一体的に構成することができる。
【００１５】
また、前記和紙糸は、中心に配置される中心糸と、該中心糸を覆う和紙糸本体と、該和紙糸本体の表面を覆うカバー糸とを備え、前記中心糸は、該中心糸に対して前記和紙糸本体がオーバーフィードされた状態で前記和紙糸本体が巻き付けられ、前記和紙糸本体は、表面の一部を露出させた状態で前記カバー糸が螺旋状に巻き付けられていてもよい。これによれば、着用時に引張力が加わった場合であっても、引張力はまず中心糸に作用し、次にカバー糸に作用し、最後に和紙糸本体に作用するため、引張力により和紙糸が断裂することを抑制することができる。
【００１６】
また、本発明は、上記の和紙糸製靴類の製造方法であって、ジャガード編によりインナー層とアウター層を同一工程で編成することを特徴とする和紙糸製靴類の製造方法である。これによれば、インナー層とアウター層をジャガード編により同一工程で一体的に編成することができる。
【発明の効果】
【００１７】
本発明によれば、アッパー部において、生地の和紙糸が靴類の着用により生じた水蒸気を吸湿するとともに、和紙糸と和紙糸の間の空間が靴類内の空気や外気を通過させるため、靴類全体として吸湿性と通気性を備え、良好な履き心地を有する。また、湿気が靴類の内側に残らず、細菌の増殖を抑制することがことができ、悪臭の発生を防止することが可能となる。
【図面の簡単な説明】
【００１８】
【図１】本発明に係る靴類の斜視図である。
【図２】縫製前のアッパー部の生地（アウター層）の平面図である。
【図３】縫製前のアッパー部の生地（インナー層）の平面図である。
【図４】アッパー部の生地の断面図である。
【図５】アッパー部の生地が編成される過程を示す断面図である。
【図６】図５の過程で編成された生地の平面図である。
【図７】他に実施形態に係る靴類に用いる和紙糸の拡大側面図である。
【発明を実施するための形態】
【００１９】
次に、本発明に係る和紙糸製靴類（以下、本靴類１という）について図１〜図６を参照しつつ説明する。  
【００２０】
本靴類１は、図１に示すように、外出時に着用されるスニーカーであって、足の甲を覆うアッパー部２と、足の裏を支えるソール部３とを備えている。
【００２１】
前記アッパー部２は、シート状の生地１００を所定の立体形状に湾曲させて縫製することにより形成される。このアッパー部２は、先端部につま先被覆部２ａを備えるとともに、後端部に二股に分岐した踵被覆部２ｂ，２ｂを備え、分岐した踵被覆部２ｂ，２ｂの間に開口部２ｃが設けられている。そして、このアッパー部２は、二股に分岐された踵被覆部２ｂ，２ｂが垂直方向に縫製されることにより、所定の立体的形状に構成される。なお、前記ソール部３は、クッション性を有する合成樹脂で構成され、前記アッパー部２の下側に設けられる。
【００２２】
前記生地１００は、図２に示すように、複数種の化学繊維糸２０、３０により編成されるアウター層と、図３に示すように、１種の和紙糸１０で編成される生地により構成されたインナー層とを備え、図４に示すように、靴類が完成した状態においてアウター層が外側に配置され、かつインナー層が内側に配置された２枚重ね構造となされている。
【００２３】
また、前記生地１００は、ジャガード編によって、インナー層１０１が和紙糸１０（和紙から作られた紙糸）により編成されるとともに、アウター層１０２が化学繊維糸２０、３０により編成され、インナー層１０１とアウター層１０２がタック編により部分的に結合されている。なお、インナー層１０１の和紙糸１０は白色を呈し、アウター層１０２の化学繊維糸２０、３０は、それぞれ紺、赤に着色されている。
【００２４】
また、前記生地１００は、図５に示すように、ジャガード編機の前針により和紙糸１０でインナー層１０１が編成され、後針により化学繊維２０、３０でアウター層１０２が編成される。
【００２５】
以下、ジャガード編による生地１００の編成方法について具体的に図５を参照しつつ説明する。なお、図５に左図中の矢印は、前針または後針で編む際に糸を送り出す図示略のキャリアを移動させる方向を表している。
【００２６】
まず、図５（ａ）に示すように、前針１のキャリアを左から右に移動させながら、前針１の左から１〜３番目（以下、左からを省略する）、７〜９番目の編針に糸のループを形成することにより紺の化学繊維糸２０を編む。また、前針２のキャリアを左から右に移動させながら、前針２の４〜６番目の編針に糸のループを形成することにより赤の化学繊維糸３０を編む。また、後針３のキャリアを左から右に移動させながら、後針３の１〜９番目の編針に糸のループを形成することにより白の和紙糸１０を編む。なお、図５において、前針１〜３および後針１〜３は、左右方向に並ぶ９つの編針により構成されているが、これは説明の便宜のためであって、実際の編針は９つに限定されない。
【００２７】
これにより、図５（ａ）右図に示すように、生地１００の外側に、１〜３番目が紺、４〜６番目が赤、７〜９番目が紺となるアウター層１０２の１段目が編成される一方、生地１００の内側に、１〜９番目が白となるインナー層１０１の１段目が編成される。
【００２８】
次に、図５（ｂ）に示すように、前針１のキャリアを右から左に移動させながら、前針１の１〜３番目、７〜９番目の編針に糸のループを形成することにより紺の化学繊維糸２０を編む。また、前針２のキャリアを右から左に移動させながら、前針２の４〜６番目の編針に糸のループを形成することにより赤の化学繊維糸３０を編む。また、後針３のキャリアを右から左に移動させながら、後針３の１〜９番目の編針に糸のループを形成することにより白の和紙糸１０を編む。
【００２９】
これにより、図５（ｂ）右図に示すように、生地１００の外側に、１〜３番目が紺、４〜６番目が赤、７〜９番目が紺となるアウター層１０２の２段目が編成される一方、生地１００の内側に、１〜９番目が白となるインナー層１０１の２段目が編成される。
【００３０】
次に、図５（ｃ）に示すように、前針１のキャリアを左から右に移動させながら、前針１の５番目の編針によりタック編糸５０を編む。また、後針１のキャリアを左から右に移動させながら、後針１の１，９番目の編針によりタック編糸５０を編む。
【００３１】
次に、図５（ｄ）に示すように、前針１のキャリアを右から左に移動させながら、前針１の１，９番目の編針によりタック編糸５０を編む。また、後針１のキャリアを右から左に移動させながら、後針１の５番目の編針によりタック編糸５０を編む。
【００３２】
これにより、インナー層１０１とアウター層１０２がタック編糸５０によりタック編糸を表面に露出させることなく結合され、インナー層１０１とアウター層１０２が分離するのを防止することができる。
【００３３】
次に、図５（ｅ）に示すように、前針１のキャリアを左から右に移動させながら、前針１の１〜３番目、７〜９番目の編針に糸のループを形成することにより紺の化学繊維糸２０を編む。また、前針２のキャリアを左から右に移動させながら、前針２の４〜６番目の編針に糸のループを形成することにより赤の化学繊維糸３０を編む。また、後針３のキャリアを左から右に移動させながら、後針３の１〜９番目の編針に糸のループを形成することにより白の和紙糸１０を編む。
【００３４】
これにより、図５（ｅ）右図に示すように、生地１００の外側に、１〜３番目が紺、４〜６番目が赤、７〜９番目が紺となるアウター層１０２の３段目が編成される一方、生地１００の内側に、１〜９番目が白となるインナー層１０１の３段目が編成される。
【００３５】
次に、図５（ｆ）に示すように、前針１のキャリアを右から左に移動させながら、前針１の１〜３番目、７〜９番目の編針に糸のループを形成することにより紺の化学繊維糸２０を編む。また、前針２のキャリアを右から左に移動させながら、前針２の４〜６番目の編針に糸のループを形成することにより赤の化学繊維糸３０を編む。また、後針３のキャリアを右から左に移動させながら、後針３の１〜９番目の編針に糸のループを形成することにより白の和紙糸１０を編む。
【００３６】
これにより、図５（ｆ）右図に示すように、生地１００の外側に、１〜３番目が紺、４〜６番目が赤、７〜９番目が紺となるアウター層１０２の４段目が編成される一方、生地１００の内側に、１〜９番目が白となるインナー層１０１の４段目が編成される。
【００３７】
このように、図５に示すように、アウター層１０２とインナー層１０１の１段目〜４段目が編成され、この編成が繰り返されることにより、生地１００が長さ方向に編成されてゆく。また、ジャガード編によりインナー層１０１とアウター層１０２が同一工程で編成されるため、インナー層１０１とアウター層１０２をジャガード編により簡単かつ一体的に構成することができる。
【００３８】
而して、アッパー部２は、図３に示すように、外側に紺と赤からなる模様が表されたアウター層１０２が編成される一方、図５に示すように、内側に和紙糸１０からなるインナー層１０１が編成される。なお、アッパー部２は、開口部２ｃの縁だけは、インナー層１０１とアウター層１０２が紺の化学繊維糸２０のみで編成されているおり、外側も内側も紺色を呈している。
【００３９】
このため、アッパー部２において、生地１００の和紙糸１０が着用により生じた水蒸気を吸湿するとともに、和紙糸１０と和紙糸１０の間の空間が靴類１内の空気や外気を通過させるため、靴類１が吸湿性と通気性を備え良好な履き心地を有する。また、湿気が靴類１の内側に残らず、細菌の増殖を抑制することがことができ、悪臭の発生を防止することが可能となる。
【００４０】
また、前記アッパー部２は、生地１００がジャガード編により編成されるため、アッパー部２をジャガード編により簡単かつ一体的に構成することができる。
【００４１】
また、前記アッパー部２は、内側に配置されるインナー層１０１と、外側に配置されるアウター層１０２とからなり、前記インナー層１０１が１種の和紙糸１０で編成される一方、前記アウター層１０２が２種の化学繊維糸２０，３０により編成される。これによれば、アッパー部２がインナー層１０１とアウター層１０２の２層構造となり、インナー層１０１に速乾性と通気性を付与するとともに、アウター層１０２に防水性などを付与することできる。
【００４２】
なお、本実施形態では、前記アッパー部２は、和紙糸１０で編成されるインナー層１０１と、化学繊維２０、３０で編成されるアウター層１０２とからなる二枚重ね合わせ構造としたが、和紙糸１０で編成される一枚の構造であってもよいし、あるいは少なくともインナー層１０１が和紙糸１０により編成される３枚以上の重ね合わせ構造としてもよい。
【００４３】
また、前記アッパー部２は、インナー層１０１のみを和紙糸１０で編成するものとしたが、アウター層１０２も和紙糸１０で編成してもよいし、さらにソール部３も和紙糸１０で編成した生地を用いてもよい。
【００４４】
また、前記インナー層１０１は、全面が和紙１０糸で編成されるものとしたが、一部のみが和紙糸１０で編成されてもよい。ただ、本発明に係る作用効果を十分に奏するためには、インナー層１０１の少なくとも５０％以上、好ましくは８０％以上の面積において和紙糸１０で編成されるのがよい。
【００４５】
また、前記和紙糸１０は、一本の和紙糸１０により構成されるものとしたが、その他の材質や構成の和紙糸であってもよい。例えば、和紙糸１０は、図７に示すように、中心に配置される中心糸１１と、該中心糸１１を覆う和紙糸本体１２と、該和紙糸本体１２の表面を覆うカバー糸１３とを備える構造が挙げられる。この前記中心糸１０は、該中心糸１０に対して和紙糸本体１２がオーバーフィードされた状態で和紙糸本体１２が巻き付けられるている。また、和紙糸本体１２は、表面の一部を露出させた状態でカバー糸１３が螺旋状に巻き付けられている。これによれば、着用時に引張力が加わった場合であっても、引張力はまず中心糸１１に作用し、次にカバー糸１３に作用し、最後に和紙糸本体１２に作用するため、引張力により和紙糸１０が断裂することを抑制することができる。
【００４６】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００４７】
１…靴類
２…アッパー部
２ａ…つま先被覆部
２ｂ…踵被覆部
２ｃ…開口部
３…ソール部
１０…和紙糸
２０，３０…化学繊維糸
５０…タック編糸
１００…生地
１０１…インナー層
１０２…アウター層
【図１】
2020141829.tif 000003
【図２】
2020141829.tif 000004
【図３】
2020141829.tif 000005
【図４】
2020141829.tif 000006
【図５】
2020141829.tif 000007
【図６】
2020141829.tif 000008
【図７】
2020141829.tif 000009